(57)【要約】  たとえばシートクッション、寝具あるいは取り替えテーブルなどの保護のための使い捨て式パッドであって、このパッドは、保護を必要とする物品と反対の側に面するよう意図された液体受け被覆層と、使用時に保護を必要とする物品の方に面するよう意図された液体を通さない裏当て層と、使用後にパッドを封止するための手段とを具備してなる。
2008523884.tif 000002
【特許請求の範囲】
【請求項１】
たとえばシートクッション、寝具あるいは取り替えテーブルなどの保護を必要とする物品の保護のための使い捨て式のパッド(１０１)であって、
保護を必要とする前記物品と反対の側を向くよう意図された液体受け被覆層(１０２)と、
使用時に保護を必要とする前記物品の方に面するよう意図された本質的に液体を通さない裏当て層(１０４)と、を具備してなり、
前記パッド(１０１)はさらに、使用後に、前記パッド(１０１)を封止するための手段(１２０)を具備してなり、
前記手段(１２０)は、第１の端部領域(１２４)および第２の端部領域(１２５)を備えた少なくとも一つの固定フラップ(１２１)を具備してなり、かつ前記第１の端部領域(１２４)は前記裏当て層(１０４)に対してあるいは前記液体受け被覆層(１０２)に対して恒久的に取り付けられており、かつ前記固定フラップ(１２１)の前記第２の端部領域(１２５)は、使用後に、前記パッド(１０１)に対して固定されることになる固定手段(１２３)を具備してなることを特徴とするパッド(１０１)。
【請求項２】
前記パッド(１０１)は、前記液体受け被覆層(１０２)と前記裏当て層(１０４)との間に配置された吸収層(１０６)を具備してなることを特徴とする請求項１に記載のパッド(１０１)。
【請求項３】
前記固定手段(１２３)は、前記パッド(１０１)の方を向く前記固定フラップ(１２１)の面に配置されていることを特徴とする請求項１または請求項２に記載のパッド(１０１)。
【請求項４】
前記固定フラップ(１２１)の前記第２の端部領域(１２５)は、前記裏当て層(１０４)あるいは前記液体受け被覆層(１０２)に対して、着脱可能な様式で取り付けられていることを特徴とする請求項１ないし請求項３のいずれか１項に記載のパッド(１０１)。
【請求項５】
前記固定手段(１２３)は接着面を具備してなることを特徴とする請求項１ないし請求項４のいずれか１項に記載のパッド(１０１)。
【請求項６】
保護層(１２２)が前記固定手段(１２３)と前記裏当て層(１０４)あるいは前記液体受け被覆層(１０２)との間に配置されており、かつ前記保護層(１２２)は、前記固定手段(１２３)の方を向く面に関して剥離剤で処理されており、かつ前記保護層(１２２)の反対側の面は、前記裏当て層(１０４)に対してあるいは前記液体受け被覆層(１０２)に対して恒久的に取り付けられていることを特徴とする請求項４または請求項５に記載のパッド(１０１)。
【請求項７】
前記固定手段(１２３)が前記裏当て層(１０４)あるいは前記液体受け被覆層(１０２)に対して着脱可能な様式で取り付けられる箇所において、前記裏当て層(１０４)あるいは前記液体受け被覆層(１０２)は剥離剤で処理されていることを特徴とする請求項４または請求項５に記載のパッド(１０１)。
【請求項８】
前記固定手段(１２３)は、雄型あるいは雌型のベルクロ(登録商標)要素を具備してなり、このベルクロ(登録商標)要素は、前記裏当て層(１０４)にあるいは前記液体受け被覆層(１０２)に配置された少なくとも一つのベルクロ(登録商標)要素と相互作用するよう構成されていることを特徴とする請求項１ないし請求項４のいずれか１項に記載のパッド(１０１)。
【請求項９】
前記パッド(１０１)の前記裏当て層(１０４)あるいは前記液体受け被覆層(１０２)は少なくとも一つの表面を具備してなり、この表面は、前記固定手段(１２３)上に配置された前記ベルクロ(登録商標)要素と相互作用可能となっていることを特徴とする請求項８に記載のパッド(１０１)。
【請求項１０】
前記パッド(１０１)の前記裏当て層(１０４)は、前記パッド(１０１)の前記液体受け被覆層(１０２)から離間して配置された不織布材を具備してなり、かつ前記不織布材は、前記固定手段(１２３)の前記ベルクロ(登録商標)要素と相互作用可能となっていることを特徴とする請求項８に記載のパッド。
【請求項１１】
前記パッド(１０１)を封止するための前記手段(１２０)は、前記パッドの前記裏当て層(１０４)上に配置されていることを特徴とする請求項１ないし請求項１０のいずれか１項に記載のパッド(１０１)。
【請求項１２】
前記固定フラップ(１２１)は紙片からなり、かつ前記紙片は折り畳み領域を含み、かつ前記固定フラップ(１２１)は前記折り畳み領域を広げることによって伸長可能となっていることを特徴とする請求項１ないし請求項１１のいずれか１項に記載のパッド(１０１)。
【請求項１３】
前記固定フラップ(１２１)は弾性領域(１２９)を具備してなり、かつ前記固定フラップ(１２１)は、前記弾性領域(１２９)を引き伸ばすことによって伸長可能となっていることを特徴とする請求項１ないし請求項１１のいずれか１項に記載のパッド(１０１)。
【請求項１４】
前記固定フラップ(１２１)の前記第２の端部領域(１２５)は、前記固定フラップ(１２１)がその第１の、折り畳まれるかあるいは引き伸ばされていない状態にあるとき、前記固定フラップ(１２１)の前記第１の端部領域(１２４)と前記パッド(１０１)の前記縁部(１１２)との間に配置され、かつ前記固定フラップ(１２１)の前記第２の端部領域(１２５)は、前記折り畳み部分が広げられるかあるいは前記弾性領域(１２９)が引き伸ばされたとき、前記パッドの前記縁部(１１２)を越えて延在するようになっていることを特徴とする請求項１２または請求項１３に記載のパッド(１０１)。
【発明の詳細な説明】
【技術分野】
【０００１】
本発明は、たとえばシートクッション、寝具あるいは取り替えテーブルなどの保護を必要とする物品の保護のための使い捨て式パッドに関する。本パッドは、保護を必要とする物品と反対の側を向くよう意図された液体受け被覆層と、使用時に保護を必要とする物品の方に面するよう意図された本質的に液体を通さない裏当て層とを具備してなる。本パッドはさらに、使用後に、それを封止するための手段を具備してなる。
【背景技術】
【０００２】
病院および他の介護施設、および家庭における介護の分野では、尿および／またはふん便がベッドのマットレスおよびイスのシートクッションにしみ込むのを防止するために、イスまたはベッドプロテクターなどの、さまざまな種類の使い捨て型のパッドが使用されている。幼児のおむつを取り替える際に、たとえば、その上でおむつ交換が行われる取り替えテーブルを保護するために、パッドが使用されることがよくある。この種のパッドが尿および／またはふん便で汚れてしまった場合、通常は、外部に面する液体を通さない裏当て層を用いて、パッドをひとまとまりに折り込むか巻き上げて、プロテクターの内容物が周囲から見えないようにする処置がとられる。パッドのそうした取り扱いは、その後の扱いを容易なものとし、しかもパッドの始末が必要なときに不快な臭いの問題を軽減する。
【０００３】
使用済おむつがパッド上に置かれ、その後、始末するのに適した衛生的なパッケージが形成されるようにパッドがおむつの周りで折り込まれるような状況も生じる。
【０００４】
取り替えテーブル用のあるタイプのパッドが特許文献１に開示されている。このパッドは、プロテクターの縁部の一つに隣接する裏当て層上に配置された接着面を含み、これに関連して、接着面は、パッドが使用され、ひとまとまりに折り込まれた後に、このパッドを封止するのに使用されることになる。特許文献１にはまた、それを折り込み、始末する前に、使用済おむつをプロテクター内に配置するのにそれが好適であることが明記されている。
【０００５】
プロテクターの裏当て層に直に接着面を設ける欠点は、裏当てが最後に外側を向く状態でプロテクターを折り込み／巻き上げた際に、接着面が折り込まれたプロテクターとは反対の外側を向くことであるが、これは最良かつ最も一般的な折り込み方法である。接着面を含むパッドの一部分は、それゆえ、パッドを封止できるよう接着面とパッドの裏当て層とを向き合わせるために、もう一回折り込む必要がある。
【０００６】
裏当て層と接着面との間の接合部はまた、上記折り込みによって、望ましくない状態で負荷が加えられ、しかもそれは、接合部がその代わりに剪断力にさらされる状況と比較して、接合部の強度を著しく低減させる引裂き力にさらされる。
【０００７】
特許文献１の記載に基づいて構成された接着面のさらなる欠点は、接着層を使用するまでは、この接着層をある形態の保護層で覆う必要があり、したがって保護層を使用前に除去する必要があるというものである。別体の保護層は、それゆえ、パッドの廃棄に関連して処理する必要があり、これはある問題を引き起こし得る。
【０００８】
他の文献には、たとえば、使用中にパッドをベッドに対して固定するための手段を具備してなる、異なる様式のパッドが開示されている。たとえば特許文献２には、それを寝具に対して固定するために、縁部に沿って接着ストリングを具備してなるベッドパッドが開示されている。
【０００９】
概して、この様式のプロテクターも、特許文献１に開示されたプロテクターと同じ問題を抱えている。
【００１０】
特許文献３には、高摩擦材を具備してなる特殊な表面を備えたパッドが開示されているが、高摩擦面の目的は、ベッドに横たわっている患者が動いても、パッドが依然としてベッドに留まるようにすることである。この種のプロテクターの機能は、本質的に、使用後の廃棄に適した、折り込まれた形態でのプロテクターの封止を考慮したものではない。
【特許文献１】特開2002‐248126号公報
【特許文献２】米国特許第4,097,943号明細書
【特許文献３】欧州特許第0,218,568号明細書
【発明の開示】
【発明が解決しようとする課題】
【００１１】
したがって、パッドの予定された廃棄に関して、それをひとまとまりに折り込むか巻き上げた後に、簡単かつ衛生的な様式で折り込みかつ封止できるパッドが求められている。
【課題を解決するための手段】
【００１２】
冒頭で言及した種類のパッドは本発明によって入手可能となったが、これは、従前の、先に説明した用品に関連する問題を本質的に解決する。
【００１３】
本発明によるパッドは、主として、使用後にパッドを封止するための手段が、第１の端部領域および第２の端部領域を備えた少なくとも一つの固定フラップを具備してなることを特徴とする。第１の端部領域は裏当て層に対してあるいは液体受け被覆層に対して恒久的に取り付けられており、かつ固定フラップの第２の端部領域は、使用後に、パッドに対して固定されることになる固定手段を具備してなる。
【００１４】
パッドに固定フラップ(一端はパッドに対して恒久的に固定されかつ他端は自由であってかつ固定手段を具備してなる)を設けることによって、固定フラップは、パッドが使用され、そして、ことによると尿を吸収した後に、パッド用の効果的な封止手段を形成する。
【００１５】
ある実施形態によれば、パッドは、液体受け被覆層と裏当て層との間に配置された吸収層を具備してなる。液体受け被覆層から分離した、別個の吸収層をパッドに設けることによって、製造に法外なコストを要することなく、身体から排出されたかなり大量の物質を吸収可能となる。
【００１６】
パッドのある実施形態によれば、固定手段は、パッドの方を向く固定フラップの面上に配置されている。固定フラップは、固定手段をパッドに当接させて位置させることによって、その長手方向を中心として回転させることなく封止できる。
【００１７】
本発明のある実施形態によれば、固定フラップの第２の端部領域は、裏当て層あるいは液体受け被覆層に対して着脱可能な様式で取り付けられる。この実施形態によれば、固定フラップの非恒久的取り付け端部領域がパッドの面から分離(これはパッドを使用する際に邪魔になることがある)するのが阻止される。
【００１８】
ある実施形態によれば、固定手段は接着面を具備してなる。明らかにパッドの大半はプラスチックフィルム(これに対して接着剤は好ましい様式で張り付くことができる)からなる裏当て層を有するので、接着剤を含む固定手段は、費用がかからず、しかも効果的に機能する解決策を提供する。
【００１９】
ある実施形態によれば、保護層が固定手段と裏当て層あるいは液体受け被覆層との間に配置される。保護層は、固定手段の方を向く面に関して剥離剤で処理され、これに関連して保護層の反対側の面は、裏当て層に対してあるいは液体受け被覆層に対して恒久的に取り付けられる。
【００２０】
他の実施形態によれば、固定手段が裏当て層あるいは液体受け被覆層に対して着脱可能な様式で取り付けられる箇所において、裏当て層あるいは液体受け被覆層は剥離剤で処理される。この実施形態によれば、パッドに対して取り外し可能な様式で取り付けられる固定フラップに関する材料節約的でかつ低コストな解決策が提供されるが、それはパッドの製造に関して、ある同期条件を課す。
【００２１】
ある実施形態は、固定手段が、雄型あるいは雌型のベルクロ(登録商標)要素を具備してなり、このベルクロ(登録商標)要素は、裏当て層あるいは液体受け被覆層に配置された少なくとも一つのベルクロ(登録商標)要素と相互作用するよう構成されていることを特徴とする。固定手段およびパッドに関してベルクロ(登録商標)要素を使用する利点は、たとえば皮膚軟膏剤などで、封止がなされる面が湿っているかあるいは汚れている場合でも、封止のための手段はやはり同様に機能することである。
【００２２】
ある実施形態では、パッドの裏当て層あるいは液体受け被覆層は少なくとも一つの表面を具備してなり、この表面は、固定手段に配置されたベルクロ(登録商標)要素と相互作用可能となっている。
【００２３】
ある実施形態は、パッドの裏当て層がパッドの液体受け被覆層から離間して配置された不織布材を具備してなり、これに関連して不織布材は、固定手段のベルクロ(登録商標)要素と相互作用可能となっていることを特徴とする。適切な形状の環(ループ)を具備してなる不織布材は、雄型のベルクロ(登録商標)要素と相互作用可能な極めて経済的な材料である。
【００２４】
ある実施形態によれば、パッドを封止するための手段は、パッドの裏当て層上に配置される。パッドの裏当て層に封止のための手段を配置したことは、当該手段が、たとえばベッドプロテクターあるいは取り替えテーブルプロテクターとしてのパッドの使用を邪魔しないことを意味する。さらに上記配置は、本質的に液体を通さない層が外部に面する状態でパッドをひとまとまりに折り込み／巻き上げた後に、上記手段を使用するのが特に容易であることを意味する。なぜなら上記手段は、そのようなひとまとまりとなる折り込み／巻き上げに関連して、自動的に外面に現れるからである。
【００２５】
ある実施形態によれば、固定フラップは紙片からなり、かつ紙片は折り畳み領域を含み、固定フラップは折り畳み領域を広げることによって伸長可能となっている。紙は、パッド用の封止手段として好適な固定フラップ用の安価でかつ効果的に機能する材料である。
【００２６】
本発明の他の実施形態によれば、固定フラップは弾性領域を具備してなり、かつ固定フラップは、この弾性領域を引き伸ばすことによって伸長可能となっている。
【００２７】
ある実施形態によれば、固定フラップの第２の端部領域は、固定フラップがその第１の、折り畳まれるかあるいは引き伸ばされていない状態にあるとき、固定フラップの第１の端部領域とパッドの縁部との間に配置される。固定フラップの第２の端部領域は、折り畳み部分が広げられるかあるいは弾性領域が引き伸ばされたとき、パッドの縁部を越えて延在するようになっている。この実施形態によれば、使用されかつ折り込まれ／巻き上げられたパッドを、その縁部近傍で封止することが可能である。固定フラップの、パッドの縁部近傍への配置は、使用後にパッドをひとまとまりに折り込み／巻き上げるという、最も一般的な手法に適合する。
【発明を実施するための最良の形態】
【００２８】
本発明は使い捨て用途のためのパッドであって、使用後の廃棄に適した、折り込まれた形態でパッドを封止するための手段を具備してなるパッドに関する。
【００２９】
本明細書で説明するタイプのパッドは、施設内介護、家庭での介護、まだ用便をしつけられていない幼児の世話に関して、数多くのさまざまな適用分野を有する。
【００３０】
パッドは、第一に、失禁症患者のケアと共に、寝具およびマットレスを保護するために使用されるが、シートクッション、車椅子などの保護もまた一般的なものである。取り替えテーブル(その上で幼児のおむつ交換が行われる)は、別なタイプのパッドを用いて保護するのが通例である、その他の表面である。
【００３１】
図１には、本発明によるパッド１０１の主要構成要素を示す。
【００３２】
パッド１０１は本質的に矩形状であり、かつ四つの縁部１１２,１１３,１１４,１１５を有している。
【００３３】
パッド１０１は液体受け被覆層１０２を具備してなるが、これは、使用中に使用者の方に面するよう意図されたパッド１０１の表面を覆うよう配置されている。パッド１０１はさらに裏当て層１０４を有するが、これは、使用中に、パッドが保護しようとする物品の方に面するよう意図されたパッドの表面を覆うよう配置されている。パッドはまた、水分受け被覆層１０２と裏当て層１０４との間に封入された吸収体１０６を具備してなる。パッド１０１は別体の吸収体１０６を具備してなるので、水分受け被覆層１０２の主要な機能は液体の通過を可能とすることであり、この結果、液体受け層１０２の吸収能力は重要ではなく、あるいはあまり重要なことではない。
【００３４】
パッド１０１の液体受け被覆層１０２は、吸収体１０６の全周に沿って、吸収体１０６の外側に延在している。液体受け被覆層１０２は、この目的に適したいかなる材料からでも構成できる。一般的な液体受け被覆層の例としては、(不織布材として公知の)織られたものでない布材、穿孔プラスチックフィルム、プラスチックあるいは織物からなるメッシュおよび液体透過性フォーム層が挙げられる。一続きの細い繊維からなる液体受け被覆材(これはパッド全体にわたって広がる)もまた考えられる。上記の考えられ得る被覆材の二つ以上からなるラミネートもまた、表面の異なる部分に関して異なる材料からなる被覆がそうであるのと同様、一般的なものである。
【００３５】
擦り切れに対して特に高い強度および耐久性を示す吸収体１０６を具備してなるパッド１０１は、使用時に使用者の方を向くパッド１０１の面に余分な液体受け被覆層を設けることを要さず、同じように機能し得る。
【００３６】
ある代替パッドは特別な吸収体を持たず、液体受け被覆層が、組み合わされた被覆および吸収層を構成する。そうした材料層に共通する特徴は、それらが天然繊維、たとえばコットン繊維、あるいはレーヨン繊維を含むことである。別個の吸収体を用いずに形成されたパッドは、主として大きな吸収量が見込まれない状況に対応したものである。
【００３７】
裏当て層１０４はまた、吸収体１０６の全周に沿って、吸収体１０６の外側で延在する。通常はパッド１０１上に存在する裏当て層１０４は、たいてい液体不透過性を有するが、他のタイプの裏当て層もまた考えられる。裏当て層１０４はある範囲のさまざまな材料から形成できる。裏当て層１０４を、薄い、液体を通さないプラスチックフィルムから形成するのが最も一般的であるが、他の種類の液体を通さない材料、たとえばプラスチックコーティング、液体を通さないフォーム層、液体を通さない接着剤などを用いて液体を通さないようになされた不織布などを使用することも可能である。裏当て層１０４はまた、液体を通さない、蒸気透過性材料から形成でき、この結果、パッド１０１は一定の通気性を持つようになるが、これによってパッドの使い心地が向上する。また、通常は吸収体１０６に接した状態で配置される少なくとも一つの液体を通さない層を含むラミネートも一般的である。そうしたラミネートは、通常、水分バリアとして機能する液体を通さない材料および保護するべき物品の方に面するパッド１０１の側に配置された、より織物に似た材料からなる。そうした裏当て層を有するパッドは、たとえば、プラスチック裏当てを持つパッドと比較して、保護されるべき物品との間により大きな摩擦を生じ、この結果、使用中に本来の位置からずれにくくなる。ラミネートの織物状層は、通常、不織布からなるが、当然ながら、他の織物材料から構成することもできる。
【００３８】
パッドが支持面(保護すべき物品)上でスライドせずに確実に適所で保持されるようにするために、パッドはまた、保護されるべき物品の方に面するよう意図されたパッドの側の適切な部分に配置された接着層および／または高摩擦面を備える。
【００３９】
液体受け被覆層１０２と裏当て層１０４とは、吸収体１０６の全周に沿って、この吸収体１０６の外側で互いに取り付けられている。
【００４０】
液体受け被覆層１０２と裏当て層１０４とは、数多くのさまざまな手法で互いに取り付けることができる。取り付け手段の例としては、接着、熱融着、超音波溶着などが挙げられる。
【００４１】
パッド１０１は、まず何よりも、使用後にそれを封止するための手段１２０を有することを特徴とする。
【００４２】
図２ａには、図１の線II‐IIに沿った断面にて封止手段１２０を示しているが、これに関連して、手段１２０は、それを使用する前の状態で示されている。
【００４３】
手段１２０は、長尺な固定フラップ１２１と、保護層１２２と、固定手段(固定機構)１２３とを具備してなる。固定フラップ１２１は、パッド１０１の縁部１１２と関連付けて配置されており、この結果、それは、その第１の端部領域１２４に隣接する裏当て層１０４に対して恒久的に取り付けられている。固定フラップ１２１の第２の端部領域１２５は、剥離剤によって処理された保護層１２２を介して、パッド１０１の裏当て層１０４に対して着脱可能な様式で取り付けられている。
【００４４】
保護層１２２は固定フラップ１２１の方に面する側において剥離剤によって処理されており、一方、保護層１２２の逆側は剥離剤によって処理されていない。剥離剤で処理されていない保護層１２２の面は、接着接合部１２７を介して、パッド１０１の裏当て層１０４に対して恒久的に取り付けられている。剥離剤で処理された保護層１２２の面は、固定手段１２３を介して固定フラップ１２１に対して着脱可能な様式で取り付けられており、これに関連して、固定手段１２３は固定フラップ１２１に対して恒久的に取り付けられている。
【００４５】
保護層１２２は、固定フラップ１２１の方を向く面に関して、シリコンを使って、剥離剤で処理された紙からなる材料片から構成される。
【００４６】
代替実施形態では、保護層はパッド１０１の裏当て層１０４を補強するプラスチック層から形成でき、この結果、固定手段１２３の接着面は、比較的大きな分離力にもかかわらず裏当て層が破れることなく、パッド１０１の裏当て層１０４から分離させることができる。エンボス加工されたプラスチック層が好ましいが、これは接着接合部の作用面が減少し、この結果、分離力が低減されるからである。
【００４７】
他の代替実施形態では、別個の保護層を付与せず、その代わりにパッド１０１の裏当て層を、固定手段が分離可能でなければならないと考える箇所において、局所的に剥離剤を用いて処理することも考えられる。
【００４８】
固定手段１２３は、好ましくは、パッド１０１に関して一般的な材料の大部分に、特にプラスチックフィルム面(これはパッドに関して最も一般的な裏当て層材料である)に対して張り付く能力を有する接着面から構成される。
【００４９】
固定手段１２３は、固定フラップ１２１の前方縁部１２８までは延在しておらず、これによって、固定フラップ１２１を保護層１２２から分離させる際、固定フラップ１２１をより簡単につまめるようになる。
【００５０】
代替実施形態では、固定手段はベルクロ(登録商標)材の雄または雌部分などから形成できる。固定手段がベルクロ(登録商標)材からなる場合には、パッドの裏面が、ベルクロ(登録商標)材の雄または雌部分からなる受け面(ここに固定手段が張り付けられるよう意図される)を備えることが、そしてまた、保護層がベルクロ(登録商標)タイプの材料からなることが必要である。本質的にパッドの裏面全体が、ベルクロ(登録商標)タイプの雌または雄部材と相互作用する能力を備えた材料を有する実施形態を考えることも可能であり、この結果、特別に配される受け面がパッドの裏面には必要でなくなる。たとえば、パッドの裏当て層を、ループを具備してなる不織布材から構成することも考えられ、この結果、それは、雄型のベルクロ(登録商標)材からなる固定手段と相互作用できる。
【００５１】
固定フラップ１２１は、その当初の状態ではＺ形状に折り畳まれており、これに関連して、固定フラップ１２１の前方縁部１２８はパッド１０１の縁部１１２の近傍に配置され、この結果、固定フラップ１２１の第２の端部領域１２５は、Ｚ形状に折り畳まれた部分が引き伸ばされたとき、パッド１０１の縁部１１２を越えて延在する。固定フラップ１２１は紙片からなるが、代替実施形態では、不織布材、プラスチックなどの帯片から形成できる。
【００５２】
異なるタイプのラミネートもまた、固定フラップとして考えられる。
【００５３】
固定フラップ１２１の第２の端部領域１２５において、固定手段１２３は、パッド１０１の裏当て層１０４の方に面する固定フラップ１２１の面に配置される。
【００５４】
図２ｂには、パッド１０１の裏当て層１０４に対する封止を行う以前の分離状態にて手段１２０を示す。固定手段１２３を具備してなる固定フラップ１２１の第２の端部領域１２５は、ここでは、固定フラップ１２１の自由端部を形成している。Ｚ形状に折り畳まれた固定フラップ１２１は、ここでは引き伸ばされており、この結果、固定フラップ１２１はパッド１０１の縁部１１２を越えて延在している。固定フラップ１２１はパッド１０１に対して、まだ固定されていない。固定手段１２３はパッド１０１の方に面している。
【００５５】
図２ｃには、固定フラップ１２１がパッド１０１の裏当て層１０４に対して固定された際の図２ｂの手段１２０を通り、かつ固定フラップ１２１が取り付けられたパッド１０１の一部分を通る断面を示す。パッド１０１は折り畳まれ／巻き上げられ、その結果、パッド１０１の裏当て層１０４は外側を向いており、そしてそれに対して固定フラップ１２１が取り付けられている。パッド１０１の裏当て層１０４と固定手段１２３との間でなされる取り付けは本質的に恒久的なものである。なぜなら、パッドの裏当て層１０４の、取り付けがなされる箇所は、剥離剤によって処理されていないからである。
【００５６】
堅く締まった、そして衛生的なユニットが形成されるが、これは、たとえそれが尿あるいはふん便を含んでいても、取り扱い／始末が容易である。
【００５７】
図３には、裏当て層１０４が周囲に対して外側を向く状態で巻き上げられた後の、図１のパッド１０１を示している。パッドを封止するための手段１２０は、パッド１０１を封止するために、まだ使用されていない。
【００５８】
図４においては、パッド１０１を封止するための手段が考慮されており、これに関連して、固定手段１２３は裏当て層１０４に対して取り付けられており、この結果、パッド１０１は固定フラップ１２１によって、ひとまとまりに保持されている。Ｚ形状に折り畳まれた固定フラップ１２１からもたらされる折り込み指標は、固定フラップ１２１上の横方向マーキングの形態で示されている。
【００５９】
図５ａに示すのは、パッド１０１を封止するための手段１２０の代替実施形態、およびこの手段１２０が取り付けられるパッド１０１の一部分である。
【００６０】
この実施形態の固定フラップ１２１は、第１および第２の領域１２４,１２５の間に弾性領域１２９を有するが、これに関連して、固定フラップ１２１は、その長手方向に伸長させることができる。弾性固定フラップ１２１は引き伸ばすことができ、この結果、固定フラップ１２１の第２の端部領域１２５はパッドの縁部１１２を乗り越える。それゆえ、固定フラップ１２１は、その第２の端部領域１２５がパッド１０１の縁部１１２を越えて伸びる(変位する)ことができるようにするために当初の形態で折り畳む必要はない。
【００６１】
固定フラップ１２１の端部領域１２４,１２５、すなわちパッド１０１の裏当て層１０４に対して固定フラップ１２１が取り付けられる領域は弾力性を持たない。その理由の一つは、弾性材料を他の材料に取り付けるのは、非弾性材料を他の材料に取り付けることよりも比較的面倒であるというものであるが、当然ながら、固定フラップ１２１の端部領域１２４,１２５を弾性材料から構成することも可能である。
【００６２】
固定フラップ１２１の端部領域１２４はパッド１０１の裏当て層に対して恒久的に取り付けられ、一方、第２の端部領域１２５は裏当て層１０４に対して着脱可能な様式で取り付けられる。この例の裏当て層１０４は、固定手段１２３の下方で、剥離剤を用いて局所的に処理されており、その結果、この実施形態では別個の保護層を必要としない。
【００６３】
図５ｂには、折り畳まれ／巻き上げられたパッド１０１が、どのようにして、使用後に裏当て層１０４が外側を向く状態で封止されるかを示している。液体を通さない裏当て層１０４は、パッド１０１に含まれる身体排出物質に対する有効なバリアを構成している。固定フラップ１２１の弾性領域１２９は、それがパッド１０１の裏当て層１０４に対して取り付けられる前に、パッドの縁部１１２を乗り越えて引き伸ばされる。裏当て層１０４と固定手段１２３との間の新しい接合は恒久的であると見なすことができるが、これは、裏当て層は、接合がなされる箇所においては剥離剤によって処理されないからである。
【００６４】
本発明はまた、上記例証的実施形態の、考えられ得る、あらゆる組み合わせに範囲が及ぶ。
【００６５】
さらに、本発明は上記例証的実施形態に限定されるものではなく、当然、請求項に記載の範囲内で他の実施形態にも応用可能である。
【図面の簡単な説明】
【００６６】
【図１】保護すべき物品の方に面するよう意図された面から見て、本発明の好ましい実施形態によるパッドを示す図である。
【図２ａ】パッドを封止するための図１の手段を通る断面図であり、当該手段が使用される前の状態を示している。
【図２ｂ】パッドの裏当て層に対して接合されることになる前の、広げられた状態での図２ａの手段を通る断面図である。
【図２ｃ】図２ｂの手段がパッドの裏面に対して固定された際の、当該手段を通る断面図である。
【図３】巻き上げられ／折り込まれたパッドを示す図であり、封止手段を使用する以前の状態を示している。
【図４】図３のパッドを示す図であり、封止手段を利用して封止した状態を示している。
【図５ａ】封止手段を使用する前の状態で、パッドを封止するための代替手段を通る断面を示している。
【図５ｂ】封止手段をパッドの裏面に対して取り付けた状態での、図５ａの手段を通る断面を示している。
【符号の説明】
【００６７】
１０１  パッド
１０２  液体受け被覆層(水分受け被覆層)
１０４  裏当て層
１０６  吸収体
１１２,１１３,１１４,１１５  縁部
１２０  パッドを封止するための手段
１２１  固定フラップ
１２２  保護層
１２３  固定手段
１２４  第１の端部領域
１２５  第２の端部領域
１２７  接着接合部
１２８  前方縁部
１２９  弾性領域
【図１】
2008523884.tif 000003
【図２ａ】
2008523884.tif 000004
【図２ｂ】
2008523884.tif 000005
【図２ｃ】
2008523884.tif 000006
【図３】
2008523884.tif 000007
【図４】
2008523884.tif 000008
【図５ａ】
2008523884.tif 000009
【図５ｂ】
2008523884.tif 000010
【国際調査報告】
2008523884.tif 000011
2008523884.tif 000012
2008523884.tif 000013